(57)【要約】【課題】風力タービンの風力タービン支持ユニット（１００）に構成要素を取付ける方法を提供する。【解決手段】本方法は、キャプティブボルト用ガンを準備するステップと、締結手段（１０２）を準備するステップと、締結手段内にキャプティブボルト（１０１）を挿入するステップと、キャプティブボルト用ガンによって風力タービン支持ユニット（１００）内にキャプティブボルト（１０１）を打込んで、締結手段（１０２）が該風力タービン支持ユニット（１００）に固定されるようにするステップとを含む。【選択図】      図６
2010121620.tif 000002
【特許請求の範囲】
【請求項１】
風力タービンの風力タービン支持ユニット（１００）に構成要素を取付ける方法であって、
キャプティブボルト用ガンを準備するステップと、
締結手段（１０２）を準備するステップと、
前記締結手段内にキャプティブボルト（１０１）を挿入するステップと、
前記キャプティブボルト用ガンによって前記風力タービン支持ユニット（１００）内に前記キャプティブボルト（１０１）を打込んで、前記締結手段（１０２）が該風力タービン支持ユニット（１００）に固定されるようにするステップと、を含む、
方法。
【請求項２】
前記キャプティブボルト（１０１）には、前記風力タービン支持ユニット（１００）内にねじ込まれるようになったネジ付き部分（１０５）が部分的に形成される、請求項１記載の方法。
【請求項３】
前記締結手段（１０２）が、前記キャプティブボルト（１０１）に設けられたワッシャ（１０６）を使用して固定される、請求項１または２記載の方法。
【請求項４】
前記キャプティブボルト（１０１）が、少なくともニッケル又はクロムの高含有量を有する鋼で製作される、請求項１乃至３のいずれか１項記載の方法。
【請求項５】
前記締結手段（１０２）が、前記風力タービン支持ユニット（１００）にケーブル又はケーブルチューブを固定するようになっている、請求項１乃至４のいずれか１項記載の方法。
【請求項６】
前記風力タービン支持ユニット（１００）が、ビーム、ハブ、鋳造構成要素、ベッドプレート、ギヤボックスのハウジング、メインフレーム、機械ナセル内のビーム、及び風力タービンのタワー組立体におけるビーム又はコンクリート壁の少なくとも１つとして設けられる、請求項１乃至５のいずれか１項記載の方法。
【請求項７】
風力タービン内に構成要素を取付けるためのキャプティブボルト（１０１）の使用方法。
【請求項８】
前記キャプティブボルト（１０１）が、該キャプティブボルト（１０１）に設けられたネジ付き部分によって風力タービン支持ユニット（１００）内にねじ込まれる、請求項７記載のキャプティブボルト（１０１）の使用方法。
【請求項９】
締結手段（１０２）が、風力タービン支持ユニット（１００）内に前記キャプティブボルト（１０１）を打込むことによって該風力タービン支持ユニット（１００）に固定される、請求項７または８記載のキャプティブボルト（１０１）の使用方法。
【請求項１０】
前記キャプティブボルト（１０１）が、少なくともニッケル又はクロムの高含有量を有する鋼で製作される、請求項７乃至９のいずれか１項記載のキャプティブボルト（１０１）の使用方法。
【請求項１１】
前記締結手段（１０２）が、前記風力タービン支持ユニット（１００）にケーブル又はケーブルチューブを固定するようになっている、請求項９または１０記載のキャプティブボルト（１０１）の使用方法。
【請求項１２】
前記風力タービン支持ユニット（１００）が、機械ナセル内の鋼壁、ハブ、鋳造構成要素、ベッドプレート、発電機組立体の外側部分、ギヤボックスのハウジング、機械ナセル内のビーム、及びタワー組立体におけるビーム又はコンクリート壁の少なくとも１つとして設けられる、請求項８乃至１１のいずれか１項記載のキャプティブボルト（１０１）の使用方法。
【発明の詳細な説明】
【技術分野】
【０００１】
本開示は、総括的には風力タービンの構造に関し、より具体的には、風力タービンの風力タービン支持ユニットに構成要素を取付けるための方法及び装置に関する。
【背景技術】
【０００２】
風力タービンに構成要素を取付ける方法は、ドリル加工及びネジ切りなど多種多様である。例えばケーブル、ケーブルチューブなどの風力タービンの支持ユニットに対して取付け構成要素を使用することができる。
【発明の概要】
【課題を解決するための手段】
【０００３】
上記を考慮して、風力タービン支持ユニットに構成要素を取付ける方法を提供し、本方法は、キャプティブボルト用ガンを準備するステップと、締結手段を準備するステップと、締結手段内にキャプティブボルトを挿入するステップと、キャプティブボルト用ガンによって風力タービン支持ユニット内にキャプティブボルトを打込んで、締結手段が該風力タービン支持ユニットに固定されるようにするステップとを含む。
【０００４】
別の態様によると、風力タービン内に構成要素を取付けるためのキャプティブボルトの使用方法を提供する。
【０００５】
さらに別の態様によると、少なくとも１つの風力タービン支持ユニットを備えた風力タービンを提供し、本風力タービンでは、風力タービンの風力タービン支持ユニットに構成要素を取付けるようになった少なくとも１つの締結手段は、少なくとも１つのキャプティブボルトによって該風力タービン支持ユニットに固定される。
【０００６】
更なる例示的な実施形態は、従属請求項、詳細な説明及び添付図面に従っている。
【０００７】
以下の図面の説明を含む本明細書の残り部分において、その最良の形態を含めて当業者に対する完全かつ実施可能な開示をより具体的に記載する。
【図面の簡単な説明】
【０００８】
【図１】典型的な実施形態による、ネジ付きボルト部分を有するキャプティブボルトの構造を示す図。
【図２】別の典型的な実施形態による、ネジ付きボルト部分を有しないキャプティブボルトを示す図。
【図３】さらに別の典型的な実施形態による、ブッシングを有するさらに別のキャプティブボルトを示す図。
【図４】キャプティブボルトによって風力タービン支持ユニットに固定された構成要素の分解図。
【図５】図４に示す風力タービン支持ユニットに締結することができる締結手段内にキャプティブボルトを挿入した、図４に示す構成要素を示す図。
【図６】風力タービン支持ユニット内にキャプティブボルトを挿入して締結手段が締結されるようにした、図４及び図５に示す構成要素を示す図。
【図７】典型的な実施形態による、風力タービンの風力タービン支持ユニットに構成要素を取付ける方法を示すフロー図。
【発明を実施するための形態】
【０００９】
次に、その１つ又はそれ以上の実施例を図面に示している様々な実施形態を詳細に参照する。各実施例は、説明の目的で示すものであり、限定を意図するものではない。例えば、１つの実施形態の一部として図示し又は説明した特徴は、他の実施形態において又は他の実施形態と共に使用して、さらに別の実施形態を生み出すことができる。本開示はそのような修正及び変更を含むことを意図している。
【００１０】
以下に、幾つかの実施形態を説明する。本ケースでは、図面において、同様の構造的特徴については、同じ参照符号で特定している。図面に示す構造は、正しい縮尺で示しておらず、むしろそれら実施形態のより良好な理解ためのみに役立つようにしている。
【００１１】
図１は、典型的な実施形態によるキャプティブボルト１０１を示している。キャプティブボルト１０１は、支持ユニット（図１には図示せず）内に押込むことができる先端部分１０７を含む。キャプティブボルト１０１の材料は、高クロム及び／又はニッケル含有量を有する鋼とすることができる。
【００１２】
キャプティブボルト１０１は、アルミニウム、コンクリート又は鋼のような材料内に押込むことができる。キャプティブボルト１０１の軸線の周りには、ワッシャ１０６を配置して、締結手段（図１には図示せず）を固定しかつ該キャプティブボルトが締結手段を突き抜けるのを防止することができる。さらに、キャプティブボルト１０１は、締結手段を固定するために使用されるヘッド部分１０９を含む。その上、図１に示すキャプティブボルト１０１は、該ボルトをさらに支持ユニットの材料内にねじ込むために使用することができるネジ付きボルト部分を含む。
【００１３】
ここで、支持ユニット内にキャプティブボルト１０１を押込むために、キャプティブボルト用ガンを準備することができることに注目されたい。風力タービン支持ユニットに風力タービンの構成要素を取付けるためにキャプティブボルト用ガンを使用することにより、取付け時間が節約され、従って風力タービンの据付け時における費用が節減される。風力タービンの支持ユニットに取付けられる構成要素には、ケーブル、ケーブルチューブなどが含まれる。
【００１４】
これらの構成要素は、支持ユニットに取付けなければならない多くの締結手段を必要とする。キャプティブボルト用ガンを使用して支持ユニット上にキャプティブボルト１０１を打込むことだけで、支持ユニットに締結手段を取付けるための多量の取付け時間が節約される。
【００１５】
図２は、別の典型的な実施形態によるキャプティブボルトを示している。図２に示すキャプティブボルト１０１は、先端部分１０７及びヘッド部分１０９を含む。さらに、締結手段を通してキャプティブボルト１０１をパンチングせずに該締結手段を固定するのを可能にするために、ワッシャ１０６が設けられる。図２に示すキャプティブボルト１０１は、図１に示すキャプティブボルト１０１のようなネジ付きボルト部分を有していない。
【００１６】
従って、キャプティブボルト１０１をねじ込まないで支持ユニットに締結手段を固定することが可能である。キャプティブボルト１０１は、キャプティブボルト用ガンを使用して該キャプティブボルト１０１を打込むことによって支持ユニットの材料内に押込むだけである。
【００１７】
図３は、図１及び図２に示すキャプティブボルト１０１のような先端部分１０７を有していないキャプティブボルト１０１を示している。図３に示すキャプティブボルト１０１は、前もってドリル加工した支持ユニットの孔内に挿入することができる平坦前端部を有する。
【００１８】
キャプティブボルト用ガンによって支持ユニット内にキャプティブボルト１０１を押込むと、図３に示すキャプティブボルト１０１の増大した直径の部分により、ドリル加工孔内への該キャプティブボルト１０１の固定が得られる。その上、図３に示すキャプティブボルト１０１は、支持ユニットにおける締結手段の有効な固定を得るために使用するブッシング１０８を含む。
【００１９】
図４は、風力タービン支持ユニット１００に締結手段１０２を締結するのに使用する構成要素の分解図である。ここで、風力タービン支持ユニット１００は、ケーブル、ケーブルチューブなどのような構成要素を取付ける風力タービンのあらゆる部品とすることができることに注目されたい。図４に示すように、締結手段１０２には、ケーブル及びケーブルチューブを締結することができるケーブルコネクタ１０３が設けられる。キャプティブボルト用ガン（図４には図示せず）を使用して、風力タービン支持ユニット１００に向かう挿入軸線に沿った打込み方向に、キャプティブボルト１０１が押込まれる。風力タービン支持ユニット１００内に孔をドリル加工しない状態で、該風力タービン支持ユニット１００に締結手段１０２をしっかりと固定することが可能である。
【００２０】
図５は、図４に示す取付けステップに続くステップにおける状況を示している。図５に示すように、キャプティブボルト１０１は、挿入方向２０１において、締結手段１０２の取付け孔１０４内に挿入するか又は該締結手段１０２内に直接挿入した。
【００２１】
従って、締結手段１０２の取付け孔１０４内に又は該締結手段１０２内に直接にキャプティブボルト１０１を挿入した状態で、キャプティブボルト１０１−締結手段１０２の組立体を風力タービン支持ユニット１００上に打込むことが可能になる。キャプティブボルト１０１のヘッドの上方にキャプティブボルト用ガンを保持し、キャプティブボルト用ガンにより、締結手段１０２と共にキャプティブボルト１０１を風力タービン支持ユニット１００に向けて打込む。
【００２２】
図６は、挿入方向２０１に風力タービン支持ユニット１００内にキャプティブボルト１０１を打込んだ後における状況を示している。ケーブルコネクタ１０３を含む締結手段１０２は、キャプティブボルト１０１によって風力タービン支持ユニット１００にしっかりと固定される。
【００２３】
ここで、図４〜図６に示すネジ付きボルト部分がない状態のキャプティブボルトに代えて、図１に示すようなネジ付きボルト部分１０５を有するキャプティブボルトを使用することができる。このケースでは、風力タービン支持ユニット１００内にキャプティブボルト１０１を打込むことに加えて、該風力タービン支持ユニット１００内に該キャプティブボルト１０１をねじ込むことによって該キャプティブボルト１０１を締結することが可能である。その上、図４〜図６に示す取付け状況において、ワッシャ１０６（図２に示す）を使用することができる。
【００２４】
図７は、典型的な実施形態による、風力タービンの風力タービン支持ユニット１００に構成要素を取付ける方法を示すフロー図である。
【００２５】
本方法は、ステップＳ１において開始する。ステップＳ２において、風力タービン支持ユニット１００（図４〜図６に示す）内にキャプティブボルト１０１（図１〜図６に示す）を打込むようになったキャプティブボルト用ガンを準備する。次に本方法は、ステップＳ３に進む。ステップＳ３において、取付け孔１０４を有することができる締結手段１０２（図４〜図６に示す）を準備する。
【００２６】
ステップＳ４において、締結手段１０２の取付け孔１０４内に又は該締結手段１０２内に直接にキャプティブボルト１０１（図１〜図６に示す）を挿入する。次に本方法は、ステップＳ５に進み、ステップＳ５において、キャプティブボルト用ガンを使用して、図４〜図６において矢印２０１で示す方向にキャプティブボルト１０１を打込むようにする。キャプティブボルト用ガンによって風力タービン支持ユニット１００内にキャプティブボルト１０１を打込んだ後に、締結手段１０２は、該風力タービン支持ユニット１００にしっかりと固定される。ステップＳ６において、本方法は、終了する。
【００２７】
添付図面に示しておりかつそれらから更なる利点及び修正が明らかになる幾つかの実施形態に基づいて、本発明を説明してきた。しかしながら、本開示は、明確に説明したそれらの実施形態に限定されるものではなく、むしろ適当な方法で修正及び変更することができる。１つの実施形態の個々の特徴及び特徴の組合せを適当な方法で別の実施形態の特徴及び特徴の組合せと組合せてさらに別の実施形態に至ることは、本発明の技術的範囲内にある。
【００２８】
本開示及びそのより広い態様から逸脱せずに様々な変更及び修正を加えることができることは、本明細書における教示に基づいて当業者には明らかであろう。つまり、本明細書において上に記載した全ての実施例は、例示であって限定を意図するものではない。
【符号の説明】
【００２９】
１００  風力タービン支持ユニット
１０１  キャプティブボルト
１０２  締結手段
１０３  ケーブルコネクタ
１０４  取付け孔
１０５  ネジ付きボルト部分
１０６  ワッシャ
１０７  先端部分
１０８  ブッシング
１０９  ヘッド部分
１１０  挿入軸線
２０１  打込み方向
【図１】
2010121620.tif 000003
【図２】
2010121620.tif 000004
【図３】
2010121620.tif 000005
【図４】
2010121620.tif 000006
【図５】
2010121620.tif 000007
【図６】
2010121620.tif 000008
【図７】
2010121620.tif 000009